【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
第１ジンバルと、
第２ジンバルと、
２つの対向するオブジェクトホルダと、を備える塗布装置であって、
前記第１ジンバルは、第１モータに接続された第１シャフトに取り付けられ、
前記第２ジンバルは、第２シャフト及び第３シャフトを用いて前記第１ジンバル内に回転可能に取り付けられ、
前記第２シャフトは第２モータに接続され、
前記第３シャフトは第３モータに接続され、
前記２つの対向するオブジェクトホルダは前記第２ジンバルに取り付けられ、
前記２つの対向するオブジェクトホルダは、オブジェクトに係合してオブジェクトを保持するように構成され、
前記第１シャフトは、前記オブジェクトが少なくとも１つの塗布容器上にあって前記少なくとも１つの塗布容器内に含まれる塗布溶液に前記オブジェクトを浸漬するときに、垂直に下方に移動するように構成され、
前記第１シャフトは、前記少なくとも１つの塗布容器内に含まれる前記塗布溶液の外側に前記オブジェクトを引き抜くために垂直に上方に移動するように構成され、
前記塗布溶液から前記オブジェクトを引き抜いた後に、前記第１モータ、前記第２モータ及び前記第３モータは、２以上の軸を中心にした又は２以上の軸の周囲での同時の前記オブジェクトの回転によって生成された多方向の遠心力を用いて前記オブジェクトの複雑面上に前記塗布溶液を分散するために前記２以上の軸を中心に又は前記２以上の軸の周囲で前記オブジェクトを回転させるように構成され、
前記２以上の軸の第１軸は、前記第１ジンバルに取り付けられた前記第１シャフトによって規定され、
前記２以上の軸の第２軸は、前記第１ジンバル内で前記第２ジンバルに取り付けられた前記第２シャフト及び前記第３シャフトによって規定される、塗布装置。
【請求項２】
第３ジンバルをさらに備え、
前記２つの対向するオブジェクトホルダは、前記第３ジンバルによって前記第２ジンバルに取り付けられ、
前記第３ジンバルは、第４シャフト及び第５シャフトを用いて前記第２ジンバル内に回転可能に取り付けられ、
前記第４シャフトは第４モータに接続され、
前記第５シャフトは第５モータに接続され、
前記塗布溶液から前記オブジェクトを引き出した後、前記第１モータ、前記第２モータ、前記第３モータ、前記第４モータ及び前記第５モータは、前記２以上の軸を中心にした又は前記２以上の軸の周囲の同時の前記オブジェクトの回転によって生成された多方向の遠心力を用いて前記オブジェクトの複雑面上に前記塗布溶液を分散させるために前記２以上の軸を中心に又は前記２以上の軸の周囲で前記オブジェクトを回転させるように構成され、
前記２以上の軸の第３軸は、前記第２ジンバル内で前記第３ジンバルに取り付けられた前記第４シャフト及び前記第５シャフトによって規定される、請求項１に記載の塗布装置。
【請求項３】
前記第１シャフトの少なくとも第１部分は前記塗布溶液内に浸漬可能であり、
前記２つの対向するオブジェクトホルダの少なくとも第２部分は前記塗布溶液内に浸漬可能である、請求項１に記載の塗布装置。
【請求項４】
前記第１シャフトの前記少なくとも第１部分及び前記２つの対向するオブジェクトホルダの前記少なくとも第２部分の各々は不活性材料によって被覆される、請求項３に記載の塗布装置。
【請求項５】
前記第１ジンバルは、円、半円、四分円、正方形、長方形及び八角形から構成された群から選択される形状を有している、請求項１に記載の塗布装置。
【請求項６】
前記第１モータ、前記第２モータ及び前記第３モータは、前記２以上の軸の各々を中心に又は前記２以上の軸の各々の周囲で約１５０〜５００ＲＰＭの回転速度で前記オブジェクトを回転させるように構成される、請求項１に記載の塗布装置。
【請求項７】
前記塗布溶液の厚さ及び均一性は、前記２以上の軸の各々を中心とした又は前記２以上の軸の各々の周囲での前記オブジェクトの回転の速度と、前記２以上の軸の各々の時間進行と、によって制御される、請求項１に記載の塗布装置。
【請求項８】
前記塗布装置は、プラズマヘッドを用いて前処理されている間に、前記オブジェクトに係合して、前記２以上の軸を中心に又は前記２以上の軸の周囲で前記オブジェクトを回転させる、請求項１に記載の塗布装置。
【請求項９】
前記第１モータ、前記第２モータ及び前記第３モータは、前記少なくとも１つの塗布容器内に含まれた前記塗布溶液内に前記オブジェクトが浸漬されるときに前記２以上の軸を中心に又は前記２以上の軸の周囲で前記オブジェクトを回転させるように構成される、請求項１に記載の塗布装置。
【請求項１０】
前記第１モータ、前記第２モータ、前記第３モータ、前記第４モータ及び前記第５モータは、前記少なくとも１つの塗布容器内に含まれた前記塗布溶液内に前記オブジェクトが浸漬されるときに前記２以上の軸を中心に又は前記２以上の軸の周囲で前記オブジェクトを回転させるように構成される、請求項２に記載の塗布装置。
【請求項１１】
前記第１シャフトの少なくとも第１部分は前記塗布溶液内に浸漬可能であり、
前記２つの対向するオブジェクトホルダの少なくとも第２部分は前記塗布溶液内に浸漬可能であり、
前記第１モータ、前記第２モータ又は前記第３モータのうちの少なくとも１つの少なくとも第３部分は前記塗布溶液内に浸漬可能であり、
不活性材料が、前記第１シャフトの前記少なくとも第１部分、前記２つの対向するオブジェクトホルダの前記少なくとも第２部分、前記第１モータ、前記第２モータ又は前記第３モータのうちの少なくとも１つの前記少なくとも第３部分、の各々を被覆する、請求項９に記載の塗布装置。
【請求項１２】
前記不活性材料はポリテトラフルオロエチレン（ＰＴＦＥ）である、請求項１１に記載の塗布装置。
【請求項１３】
前記２以上の軸の前記第１軸及び前記２以上の軸の前記第２軸は同一点で交差する、請求項１に記載の塗布装置。
【請求項１４】
前記２以上の軸の前記第１軸、前記第２軸及び前記第３軸のうちの少なくとも２つが同一点で交差する、請求項２に記載の塗布装置。
【請求項１５】
前記２以上の軸の前記第１軸、前記第２軸及び前記第３軸が同一点で交差する、請求項１４に記載の塗布装置。
【請求項１６】
前記第１モータ、前記第２モータ及び前記第３モータは、前記２以上の軸の前記第１軸及び前記第２軸のうちの少なくとも１つの周囲で少なくとも３６０°にわたって前記オブジェクトを回転させるように構成される、請求項１に記載の塗布装置。
【請求項１７】
前記第１モータ、前記第２モータ及び前記第３モータは、前記２以上の軸の前記第１軸及び前記第２軸の周囲で少なくとも３６０°にわたって前記オブジェクトを回転させるように構成される、請求項１に記載の塗布装置。
【請求項１８】
前記第１モータ、前記第２モータ、前記第３モータ、前記第４モータ及び前記第５モータは、前記２以上の軸の前記第１軸、前記第２軸及び前記第３軸のうちの少なくとも３つの周囲で少なくとも３６０°にわたって前記オブジェクトを回転させるように構成される、請求項２に記載の塗布装置。
【請求項１９】
前記第１モータ、前記第２モータ、前記第３モータ、前記第４モータ及び前記第５モータは、前記２以上の軸の前記第１軸、前記第２軸及び前記第３軸のうちの少なくとも１つを中心に少なくとも３６０°未満にわたって前記オブジェクトを回転させるように構成される、請求項２に記載の塗布装置。
【請求項２０】
前記第１モータ、前記第２モータ、前記第３モータ、前記第４モータ及び前記第５モータは、前記２以上の軸を中心に又は前記２以上の軸の周囲で約１５０〜５００ＲＰＭの回転速度で前記オブジェクトを回転させるように構成される、請求項２に記載の塗布装置。